(57)【要約】【課題】  使用する人数に合わせた部屋の広さに区切ることのでき、しかも、レールや導線等が見えず美麗に部屋を区切ることのできる安価な可動間仕切り壁パネルと、この可動間仕切り壁パネルを利用して部屋を区切る可動間仕切り壁システムを提供することである。【解決手段】  横端面に接続端子６を設け、上端面に電源側コネクタ５を設け、この接続端子６と電源側コネクタ５とを導線で接続した可動間仕切り壁パネル３と、天井８の可動間仕切り壁パネル３の立設予定の複数の所定位置に配線用開口部８１を設け、この配線用開口８１近傍の天井裏に天井側コネクタ８２を設けていて、可動間仕切り壁パネル３を複数の所定位置の中の１箇所の下方に立設したときに、天井側コネクタ８２と電源側コネクタ５とが接続可能になっている可動間仕切り壁システムである。【選択図】          図４
2006138102.tif 000002
【特許請求の範囲】
【請求項１】
部屋の床と天井との間に立設させて部屋を区切ることのできる可動間仕切り壁パネルであって、横端面には電源側コネクタと導線で接続されている接続端子が設けられ、この接続端子によって他の可動間仕切り壁パネルの接続端子と接続可能になされ、前記電源側コネクタは前記接続端子の横端面と異なる横端面または上端面に設けられていることを特徴とする可動間仕切り壁パネル。
【請求項２】
可動間仕切り壁パネルが主可動間仕切り壁パネルと副可動間仕切り壁パネルの２種類からなり、主可動間仕切り壁パネルと副可動間仕切り壁パネルを部屋の床と天井との間に並んだ状態に立設させて部屋を区切ることのできる可動間仕切り壁システムであって、前記天井には主可動間仕切り壁パネルの立設予定の複数の所定位置に配線用開口が設けられ、この配線用開口近傍の天井裏には天井側コネクタが設けられ、前記主可動間仕切り壁パネルの上端面には電源側コネクタが設けられ、この主可動間仕切り壁パネルの横端面には電源側コネクタに導線で接続されている接続端子が設けられ、前記副可動間仕切り壁パネルの横端面には接続端子が設けられ、主可動間仕切り壁パネルを複数の所定位置の中の１箇所の下方に立設したときに、天井側コネクタと電源側コネクタとが接続可能になされ、主可動間仕切り壁パネルと副可動間仕切り壁パネルを略一直線状に並べて立設したときに、主可動間仕切り壁パネルの接続端子と隣接する副可動間仕切り壁パネルの接続端子とが、また、副可動間仕切り壁パネルの接続端子と隣接する副可動間仕切り壁パネルの接続端子とが接続する構造になされていることを特徴とする可動間仕切り壁システム。
【請求項３】
前記配線用開口には、配線用開口キャップが着脱自在に取り付けられていることを特徴とする請求項２に記載の可動間仕切り壁システム。
【請求項４】
前記可動間仕切り壁パネルには、上端部に上下方向に伸縮自在な固定部材と、可動間仕切り壁パネルと天井との間の隙間を塞ぐ着脱自在な化粧板または上下方向に移動可能な化粧板とが設けられていることを特徴とする請求項２または請求項３に記載の可動間仕切り壁システム。
【請求項５】
前記可動間仕切り壁パネルの立設予定の複数の所定位置は、建物のモジュール寸法に基づいた距離を隔てて設けられた複数の位置であることを特徴とする請求項２ないし請求項４のいずれかに記載の可動間仕切り壁システム。
【発明の詳細な説明】
【技術分野】
【０００１】
本発明は、部屋の床と天井との間に立設させて、部屋を適当な広さに区切ることのできる可動間仕切り壁パネルと、この可動間仕切り壁パネルを利用して部屋を区切る可動間仕切り壁システムに関する。
【背景技術】
【０００２】
建物の中に大きな部屋を設けていて、この部屋をそのまま使用したり、可動間仕切り壁で区切って小さな部屋として使用することが広く行われている。
例えば、大きな会議室や宴会室を設けていて、可動間仕切り壁で部屋を会議や宴会に出席する人数に合わせた広さに区切って使用したり、住宅では、大きな居間を設けていて、来客時等に可動間仕切り壁で居間を区切って一方を客室に使用したり、部屋をを可動間仕切り壁で区切って複数の子供部屋にし、子供の数が少なくなったり居なくなるとこの可動間仕切り壁を取り除いて、別の目的に使用すること等がある。
【０００３】
この可動間仕切り壁としては、従来、種々な構造のものが知られている。
例えば、特許文献１に記載されているように、床面にレールを設け、このレールの上を間仕切り本体を移動させる可動間仕切り壁が知られている。
また、特許文献２に記載されているように、天井面にレールを設け、このレールに間仕切り本体を吊り下げ、この間仕切り本体を移動させて、部屋を区切ることも行われている。
【０００４】
また、特許文献３に記載されているように、レールレスの可動間仕切り壁も知られている。
この特許文献３に記載されている可動間仕切り壁は、可動間仕切り壁が倒れないように幅の広い頑丈な台車の上に可動間仕切り壁を載せ、この台車を移動させるものである。
【０００５】
また、特許文献４に記載されているように、床面と天井面との間に複数の可動間仕切り壁パネルを着脱自在に取り付ける可動間仕切り壁も多く利用されている。
この特許文献４に記載されている可動間仕切り壁は、使用しないときには、可動間仕切り壁パネルを収納場所に収納していて、使用するときには、収納場所から取り出し、この可動間仕切り壁パネルの複数個を一直線状に並べて立設し部屋を区切るものである。この可動間仕切り壁は大規模な設備を必要とせず安価であるので、住宅等の小形の建物に適している。
【０００６】
かかる可動間仕切り壁にはコンセント等がない場合もあるが、間仕切り壁にコンセントがあると、このコンセントを通して種々な電気製品に電気を供給することができ、極めて便利である。
かかる必要性から、特許文献２や特許文献４に記載されている可動間仕切り壁には、コンセントが設けられている。
この可動間仕切り壁にコンセントを設けるためには、コンセントに接続されている導線を可動間仕切り壁の中に設け、この導線を天井裏に設けられている導線と接続する必要がある。
【０００７】
特許文献２に記載されている導線を接続する方法は、天井面にスリット状に切り欠いたレールとこのレールの両側に導線を設け、可動間仕切り壁の上端に上下方向に移動したり、軸を中心にして回転するＴ字形の操作軸と、この操作軸のＴ字形の横材の先に端子を設け、このＴ字形の横材をレールに対して略平行にして、操作軸を上方に移動させて横材をレールの間に入れ、この操作軸を９０°回転させて横材の先に設けられている端子を導線に接続させる方法である。
【０００８】
また、特許文献４に記載されている導線を接続する方法は、天井に断面コ形長尺体のレールを開口を下方向に向けて設け、このレール近傍に配線ダクトを設けていて、レールの断面コ字形の開口の中に可動間仕切り壁パネルの先端部を嵌め込んで立設し、可動間仕切り壁パネルの中に設けられている配線を引き出し、この配線の先端に設けられているコネクタを配線ダクトに接続する方法である。
【特許文献１】特開昭５４−２４４１９号公報
【特許文献２】特開２００２−１５５６７８公報
【特許文献３】特開２００４−８４２０８号公報
【特許文献４】特開２００２−３４１３４号公報
【発明の開示】
【発明が解決しようとする課題】
【０００９】
しかし、可動間仕切り壁で部屋を使用する人数に合わせた広さに区切って使用したいときがあるが、特許文献２や特許文献４に記載されている方法では天井のレールのある場所に可動間仕切り壁を設けるし、特許文献１に記載されている方法では床のレールのある場所に可動間仕切り壁を設けるので、区切ることのできる部屋の大きさは一定であって、使用する人数に合わせた広さの部屋に区切ることができない。
かかる問題を解決しようと、複数の人数に合わせることができるように、天井や床に複数のレールを設けて複数の部屋の広さに区切ることができるようにしたが、不便であるし、設備費が高価になるという問題があるし、天井や床に使用しないレールが存在し、このレールが見えて醜悪である。
【００１０】
また、特許文献４に記載されている方法では、可動間仕切り壁パネルの中から引き出された配線が天井に見えて醜悪である。
また、特許文献３に記載されている方法では、レールがなく上記の問題点はないが、可動間仕切り壁を倒れないように移動させるために頑丈な幅の広い台車が必要となり、高価になるし、可動間仕切り壁が広い空間を占めるために、この空間を使用することができず、部屋の使用可能な部分が狭くなるという問題がある。
【００１１】
そこで、本発明の目的は、使用する人数に合わせた部屋の広さに区切ることができ、しかも、レールや導線等が見えず美麗に部屋を区切ることのできる安価な可動間仕切り壁パネルと、この可動間仕切り壁パネルを利用して部屋を区切る可動間仕切り壁システムを提供することである。
【課題を解決するための手段】
【００１２】
本発明は上記目的を達成するためになされたものであって、請求項１に記載の発明は、部屋の床と天井との間に立設させて部屋を区切ることのできる可動間仕切り壁パネルであって、横端面には電源側コネクタと導線で接続されている接続端子が設けられ、この接続端子によって他の可動間仕切り壁パネルの接続端子と接続可能になされ、前記電源側コネクタは前記接続端子の横端面と異なる横端面または上端面に設けられている可動間仕切り壁パネルを特徴とするものである。
【００１３】
請求項２に記載の発明は、可動間仕切り壁パネルが主可動間仕切り壁パネルと副可動間仕切り壁パネルの２種類からなり、主可動間仕切り壁パネルと副可動間仕切り壁パネルを部屋の床と天井との間に並んだ状態に立設させて部屋を区切ることのできる可動間仕切り壁システムであって、前記天井には主可動間仕切り壁パネルの立設予定の複数の所定位置に配線用開口が設けられ、この配線用開口近傍の天井裏には天井側コネクタが設けられ、前記主可動間仕切り壁パネルの上端面には電源側コネクタが設けられ、この主可動間仕切り壁パネルの横端面には電源側コネクタに導線で接続されている接続端子が設けられ、前記副可動間仕切り壁パネルの横端面には接続端子が設けられ、主可動間仕切り壁パネルを複数の所定位置の中の１箇所の下方に立設したときに、天井側コネクタと電源側コネクタとが接続可能になされ、主可動間仕切り壁パネルと副可動間仕切り壁パネルを略一直線状に並べて立設したときに、主可動間仕切り壁パネルの接続端子と隣接する副可動間仕切り壁パネルの接続端子とが、また、副可動間仕切り壁パネルの接続端子と隣接する副可動間仕切り壁パネルの接続端子とが接続する構造になされている間仕切り壁システムを特徴とするものである。
【００１４】
請求項３に記載の発明は、請求項２に記載の発明に係り、前記配線用開口には、配線用開口キャップが着脱自在に取り付けられているものである。
【００１５】
請求項４に記載の発明は、請求項２または請求項３に記載の発明に係り、前記可動間仕切り壁パネルには、上端部に上下方向に伸縮自在な固定部材と、可動間仕切り壁パネルと天井との間の隙間を塞ぐ着脱自在な化粧板または上下方向に移動可能な化粧板とが設けられているものである。
【００１６】
請求項５に記載の発明は、請求項２ないし請求項４のいずれかに記載の発明に係り、前記可動間仕切り壁パネルの立設予定の複数の所定位置は、建物のモジュール寸法に基づいた距離を隔てて設けられた複数の位置である。
【００１７】
本発明における部屋は、可動間仕切り壁パネルで区切ることのできる部屋のことであって、部屋の目的は問わない。例えば、会議室や宴会室であってもよいし、住宅の居間であってもよいし、子供部屋であってもよい。
そして、この可動間仕切り壁パネルとは、使用しないときには、収納場所等に収納していて、必要に応じて、収納場所等から取り出し、床と天井との間に立設して部屋を区切るものである。
【００１８】
この際、可動間仕切り壁パネルの高さが床と天井との間の距離と略等しいと、床と天井との間に立設することが困難になるので、通常、可動間仕切り壁パネルの高さを床と天井との間の距離より若干短くしている。
従って、この床と天井との間の距離より若干短い可動間仕切り壁パネルを立設したときには、可動間仕切り壁パネルを固定する必要がある。
【００１９】
この可動間仕切り壁パネルを固定する方法は、種々ある。例えば、可動間仕切り壁パネルと天井との間にスペーサーを差し込んで固定してもよいが、請求項４に記載の発明にあるように、上端部に上下方向に伸縮自在な固定部材を設けていて、可動間仕切り壁パネルを立設させた後に、この固定部材を上方向に移動させて、固定する方法が簡単な構造で、しかも、強固に固定できるので好ましい。
【００２０】
この際、可動間仕切り壁パネルの下端面にはゴム板や発泡ポリスチレン樹脂板等の弾性体を取り付けていると、固定部材で可動間仕切り壁パネルを固定したときに、この弾性体が圧縮され、この弾性体が元の形状に戻ろうとする圧力によって可動間仕切り壁パネルが強固に取り付けられ、しかも、床に傷が付かないので好ましい。
このように固定部材を上方向に移動させて可動間仕切り壁パネルを固定する方法では、可動間仕切り壁パネルを立設したときに、この可動間仕切り壁パネルの先端と天井との間に隙間が生じ、この隙間や、この隙間を通して固定部材等が見えて見苦しい。従って、この隙間を、請求項４に記載の発明のように、着脱自在な化粧板や上下方向に移動可能な化粧板で塞ぐとよい。
【００２１】
請求項２に記載の発明における可動間仕切り壁パネルの立設予定の複数の所定位置とは、部屋を区切る広さに応じて予め定めた可動間仕切り壁パネルを取り付ける複数の位置をいう。
この可動間仕切り壁パネルの立設予定の複数の所定位置は適宜でよいが、通常、部屋を区切る場合には、建物のモジュール寸法に基づいて、可動間仕切り壁パネルを取り付けることが多いので、請求項５に記載の発明のように、この可動間仕切り壁パネルの立設予定の複数の所定位置をモジュール寸法に基づいた距離を隔てて設けられた複数の位置（例えば、一端より９０ｃｍ、１８０ｃｍ、２７０ｃｍ隔てた複数の位置）にすることが好ましい。
【００２２】
請求項２に記載の発明における配線用開口とは、天井裏に設けている天井側コネクタと可動間仕切り壁パネルに設けている電源側コネクタとを連結するために天井に設けた開口をいう。この配線用開口が見えると見苦しいので、通常、請求項３に記載あるように、配線用開口キャップで蓋をしていて、天井側コネクターと電源側コネクタを連結するときに、この配線用開口キャップを取り外すようにするとよい。
【００２３】
この配線用開口キャップは適宜材料を適宜形状にしたものでよいが、柔軟な材料で、中央部に配線を通過させる通孔と、この通孔から外周まで殆ど幅のないスリット状の切り込みとからなる板状であると、天井側コネクタと電源側コネクタとを接続するための配線をこのスリット状の切り込みから配線用開口キップを変形させながら入れることができるし、この殆ど幅のないスリット状の切り込みが見え難いので好ましい。
【００２４】
また、可動間仕切り壁パネルをこの配線用開口の下方に取り付けたときに、この配線用開口が可動間仕切り壁パネルや化粧板に隠れて見えないときには、この配線用開口キャップを外したままにしても、外観が損なわれないので、配線用開口キャップを外しておくようにしてもよい。このようにすると、この配線用開口キャップの中に天井側コネクタと電源側コネクタとを接続した配線を通す必要がないので、この配線用開口キャップを適宜材料、例えば、固い材料でスリット状の切り込みのない形状に成形したものでもよい。
【００２５】
請求項２に記載の発明における天井側コネクタは、天井裏に設けられている配線の先端の接続可能な端子であって、配線用開口近傍の天井裏に設けられている。
請求項２に記載の発明における電源側コネクタは、天井側コネクタと接続させために可動間仕切り壁パネルに設けられた接続可能な端子である。従って、天井側コネクタの端子を差し込まれる形の雌形の端子にすると、電源側コネクタはこの天井側コネクタの端子に差し込む形の雄形の端子にする。
【００２６】
そして、この天井側コネクタと電源側コネクタとは接続可能になされているが、この接続する手段としては種々ある。
例えば、天井側コネクタを天井裏に固定し、電源側コネクタを壁側に固定し、この間をコード等で連結して接続してもよいし、天井側コネクターと電源側コネクタのどちらか一方がコード等の紐状の導線の先端に端子を設けたものであって、この紐状の導線を伸ばして他方の固定されている端子に接続してもよいし、両方とも紐状の導線の先端に端子を設けたものであって、両方の紐状の導線を伸ばして接続してもよい。
【００２７】
この可動間仕切り壁パネルは、区切る部屋が小さくて１個で区切ることもあるが、通常、区切る部屋は大きくて、この部屋を区切るために、複数個の可動間仕切り壁パネルを略一直線状に並べて使用することが多い。
そして、それぞれの可動間仕切り壁パネルに電源側コネクタを設け、且つ、このそれぞれの可動間仕切り壁パネルに相当する位置に天井側コネクタを設け、すべての可動間仕切り壁パネルの電源側コネクタを天井側コネクタに接続するようにしてもよい。
【００２８】
しかし、請求項２に記載あるように、１個の可動間仕切り壁パネル（主可動間仕切り壁パネル）のみに電源側コネクタを設け、それに相当する天井に天井側コネクタを設け、且つ、この主可動間仕切り壁パネルの横端面とその他の可動間仕切り壁パネル（副可動間仕切り壁パネル）の横端面に、それぞれ接続端子を設け、主可動間仕切り壁パネルと副可動間仕切り壁パネルとを一直線状に立設したときに、主可動間仕切り壁パネルや副可動間仕切り壁パネルの横端面に設けられている接続端子が接続するようにすると、天井裏に設けられている天井側コネクタと主可動間仕切り壁パネルの天井側コネクタとを接続するだけで、可動間仕切り壁パネルのすべてのコンセント等と天井側コネクタとを接続することができるので、便利であり好ましい。
【００２９】
接続端子とは、可動間仕切り壁パネルを並べて立設して部屋を区切ると、この可動間仕切り壁パネルの横端面に設けられている接続端子同士が当接して自動的に接続する端子のことである。
【００３０】
この接続端子は板状で可動間仕切り壁パネルを並べて立設したときに、この板状の接続端子が接触する構造にしてもよいが、一般に、複数個の可動間仕切り壁パネルを並べて床と天井との間に立設する場合には、既に立設している可動間仕切り壁パネルの横端面に沿って立設しようとする可動間仕切り壁パネルを上方からスライドさせて立設させることが多いので、既に立設している可動間仕切り壁パネル側の接続端子を上方に開口している受口状にし、立設しようとする可動間仕切り壁パネルの接続端子をこの受口状の接続端子の上方から挿入する舌状の接続端子にすると、確実に、しかも、強固に接続できるので好ましい。
【００３１】
請求項２に記載の発明においては、通常、複数個の可動間仕切り壁パネルを並べて立設した後に、天井側コネクタと電源側コネクタとを接続するのであるが、誤って、主可動間仕切り壁パネルを立設し、天井側コネクタと電源側コネクタを接続した後に副可動間仕切り壁パネルを立設することがある。
すると、この接続端子は生きていて、感電する可能性があるので、この横端面に設ける接続端子を感電しないような構造にする必要がある。通常、主可動間仕切り壁パネル側の接続端子が生きているので、この接続端子を特に感電しない構造にすることが好ましい。
（作用）
【００３２】
請求項１に記載の発明では、部屋の床と天井との間に立設させて部屋を区切ることのできる可動間仕切り壁パネルであって、横端面には電源側コネクタと導線で接続されている接続端子が設けられ、この接続端子によって他の可動間仕切り壁パネルの接続端子と接続可能になされ、前記電源側コネクタは前記接続端子の横端面と異なる横端面または上端面に設けられている可動間仕切り壁パネルを特徴とするので、次に示す作用がある。
【００３３】
即ち、部屋を区切って使用したいときには、次のようにして部屋を区切る。
この際、電源側コネクタが接続端子の横端面と異なる横端面に設けられている可動間仕切り壁パネルは、電源に接続されているコネクタが可動間仕切り壁パネルの立設予定の複数の所定位置の壁に設けられているときに使用する。
そして、この壁に設けられている複数の所定位置に設けられている壁側コネクタの中の１箇所を選んで、この近傍に可動間仕切りパネルを立設し、この壁側コネクタと電源側コネクタとを接続する。
【００３４】
また、電源側コネクタが上端面に設けられている可動間仕切り壁パネルは、電源に接続されているコネクタが可動間仕切り壁パネルの立設予定の複数の所定位置の壁に設けられているときに使用する。
そして、この天井に設けられている複数の所定位置に設けられている天井側コネクタの中の１箇所を選び、この近傍に可動間仕切り壁パネルを立設し、この天井側コネクタと電源側コネクタとを接続する。
このようにして、この可動間仕切り壁パネルで部屋を所望の広さに区切る。
この際、この複数の所定位置の中の選ぶ位置を変えることによって区切られた部屋の広さを変えることができる。
また、天井側コネクタまたは壁側コネクタと電源側コネクタとを簡単に接続することができるし、このように接続すると、可動間仕切り壁パネルの内部に設けられている配線と、天井裏の配線とが接続され、可動間仕切り壁パネルに設けられているコンセント等を利用することができる。
【００３５】
請求項２記載の発明では、可動間仕切り壁パネルが主可動間仕切り壁パネルと副可動間仕切り壁パネルの２種類からなる。
そして、天井には主可動間仕切り壁パネルの立設予定の複数箇所に配線用開口が設けられ、この配線用開口近傍の天井裏には天井側コネクタが設けられ、主可動間仕切り壁パネルの上端面には電源側コネクタが設けられ、主可動間仕切り壁パネルを複数の所定位置の中の１箇所の下方に立設したときに、天井側コネクタと電源側コネクタとが接続可能になされているので、部屋を区切って使用したいときには、先ず、この主可動間仕切り壁パネルを、天井に設けられている複数の所定位置の中の１箇所を選び、この選んだ所定位置の下方に立設する。
【００３６】
すると、この所定位置の配線用開口近傍の天井裏には天井側コネクタがあり、この所定位置に立設された主可動間仕切り壁パネルには電源側コネクタがあり、この両者は極めて近い位置にあって、この両方のコネクタを簡単に接続することができるし、このようにすると、主可動間仕切り壁パネルの内部に設けられている配線と、天井裏の配線とが接続される。
【００３７】
更に、主可動間仕切り壁パネルの横端面には電源側コネクタに導線で接続されている接続端子が設けられ、前記副可動間仕切り壁パネルの横端面には接続端子が設けられ、主可動間仕切り壁パネルと副可動間仕切り壁パネルを並べて立設したときに、主可動間仕切り壁パネルの接続端子と隣接する副可動間仕切り壁パネルの接続端子とが、また、副可動間仕切り壁パネルの接続端子と隣接する副可動間仕切り壁パネルの接続端子とが接続する構造になされているので、既に、立設されている主可動間仕切り壁パネルの隣に副可動間仕切り壁パネルを略一直線状になるように立設し、更に、その隣に副可動間仕切り壁パネルを並べて立設するというように、次々と可動間仕切り壁パネルを部屋の一端から他端までに立設して、この可動間仕切り壁パネルで部屋を所望の広さに区切る。
【００３８】
この際、この複数の所定位置の中の選ぶ位置を変えることによって区切られた部屋の広さを変えることができる。
しかも、主可動間仕切り壁パネルの接続端子と隣接する副可動間仕切り壁パネルの接続端子とが接続されるし、この副可動間仕切り壁パネルの接続端子と隣接する副可動間仕切り壁パネルの接続端子とが接続されるので、主可動間仕切り壁パネルの電源側コネクタと天井裏の天井側コネクタとを接続すると、全ての可動間仕切り壁パネルの中の配線が天井裏の配線に接続され、可動間仕切り壁パネルに設けられているすべてのコンセント等を利用することができる。
【００３９】
請求項３記載の発明では、請求項２に記載の発明に係り、前記配線用開口には、配線用開口キャップが着脱自在に取り付けられているので、この配線用開口の下方に可動間仕切り壁パネルを立設しないときには、配線用開口を配線用開口キャップで塞いでおく。
すると、この配線用開口が見え難く、天井が美麗である。
そして、可動間仕切り壁パネルを立設するときには、この配線用開口キャップを外すことにより、天井裏の天井側コネクタと可動間仕切り壁パネルの電源側コネクタとをこの配線用開口を通して接続することができる。
【００４０】
請求項４に記載の発明では、請求項２または請求項３に記載の発明に係り、前記可動間仕切り壁パネルには、上端部に上下方向に伸縮自在な固定部材と、可動間仕切り壁パネルと天井との間の隙間を塞ぐ着脱自在な化粧板または上下方向に移動可能な化粧板とが設けられているので、この可動間仕切り壁パネルを使用しないときには、固定部材を下方向に縮め、化粧板を外したり下方に移動させる。
すると、可動間仕切り壁パネルの高さが床と天井との間の距離より短くなるので、収納したり保管し易いし、可動間仕切り壁パネルを床と天井との間に立設したり、取り外すことが容易である。
【００４１】
そして、可動間仕切り壁パネルを立設した後に、この固定部材を上方向に移動させて伸ばすと、可動間仕切り壁パネルを強固に固定することができる。
その後に、化粧板を取り付けたり、化粧板を上方向に移動させると、この可動間仕切り壁パネルと天井との間の隙間と、この隙間を通して見えていた配線用開口や、固定部材や、天井側コネクタと電源側コネクタとを接続した配線等がこの化粧板に遮られて見えなくなり、この立設した可動間仕切り壁が美麗になる。
【００４２】
請求項５に記載の発明では、請求項２ないし請求項４のいずれかに記載の発明に係り、前記可動間仕切り壁パネルの立設予定の複数の所定位置は、建物のモジュール寸法に基づいた距離を隔てて設けられた複数の位置であるので、可動間仕切り壁パネルを建物のモジュールに基づいたいかなる位置に立設しても、この可動間仕切り壁パネルの立設予定の位置に設けられている配線用開口を通して天井側コネクタと電源側コネクタとを接続させることができる。
【発明の効果】
【００４３】
以上説明したように、請求項１に記載の発明は、部屋の床と天井との間に立設させて部屋を区切ることのできる可動間仕切り壁パネルであって、横端面には電源側コネクタと導線で接続されている接続端子が設けられ、この接続端子によって他の可動間仕切り壁パネルの接続端子と接続可能になされ、前記電源側コネクタは前記接続端子の横端面と異なる横端面または上端面に設けられている可動間仕切り壁パネルを特徴とするから、壁または天井に設けられている複数の所定位置に設けられている壁側コネクタまたは天井側コネクタの中の１箇所を選んで、この近傍に可動間仕切りパネルを立設し、この壁側コネクタまたは天井側コネクタと電源側コネクタとを接続して可動間仕切り壁パネルで部屋を所望の広さに区切ると、天井側コネクタまたは壁側コネクタと電源側コネクタとを簡単に接続することができる、可動間仕切り壁パネルの内部に設けられている配線と、天井裏の配線とが接続され、可動間仕切り壁パネルに設けられているコンセント等を利用することができ、極めて便利である。
【００４４】
しかも、この複数の所定位置の中の選ぶ位置を変えることによって区切られた部屋の広さを変えることができる。
また、可動間仕切り壁パネルを部屋の床と天井との間に立設させて部屋を区切るので、特許文献１、特許文献２に記載さているように、床や天井等にレール等が必要でないし、特許文献３に記載されているように、可動間仕切り壁を運ぶ台車等が必要でなく安価に可動間仕切り壁を設けることができる。
【００４５】
請求項２記載の発明は、可動間仕切り壁パネルが主可動間仕切り壁パネルと副可動間仕切り壁パネルの２種類からなり、主可動間仕切り壁パネルと副可動間仕切り壁パネルを部屋の床と天井との間に並んだ状態に立設させて部屋を区切ることのできる可動間仕切り壁システムであって、前記天井には主可動間仕切り壁パネルの立設予定の複数の所定位置に配線用開口が設けられ、この配線用開口近傍の天井裏には天井側コネクタが設けられ、前記主可動間仕切り壁パネルの上端面には電源側コネクタが設けられ、この主可動間仕切り壁パネルの横端面には電源側コネクタに導線で接続されている接続端子が設けられ、前記副可動間仕切り壁パネルの横端面には接続端子が設けられ、主可動間仕切り壁パネルを複数の所定位置の中の１箇所の下方に立設したときに、天井側コネクタと電源側コネクタとが接続可能になされ、主可動間仕切り壁パネルと副可動間仕切り壁パネルを略一直線状に並べて立設したときに、主可動間仕切り壁パネルの接続端子と隣接する副可動間仕切り壁パネルの接続端子とが、また、副可動間仕切り壁パネルの接続端子と隣接する副可動間仕切り壁パネルの接続端子とが接続可能になされているから、部屋を区切って使用したいときには、天井に設けられている複数の所定位置の中の１箇所を選び、この選んだ所定位置の下方に主可動間仕切り壁パネルを立設し、その隣に副可動間仕切り壁パネルを略一直線状になるように立設し、更に、その隣に副可動間仕切り壁パネルを略一直線状になるように立設するというように、部屋の一端から他端まで、可動間仕切り壁パネルを立設する。
【００４６】
すると、この可動間仕切り壁パネルで部屋を所望の広さに区切ることができるし、その後、天井側コネクタと主可動間仕切りパネルの電源側コネクタとを接続することができるし、このように接続すると、可動間仕切り壁パネルの内部に設けられている配線と天井裏の配線とが接続され、可動間仕切り壁パネルに設けられているすべてのコンセント等を利用することができ、便利である。
しかも、この複数の所定位置の中の選ぶ位置を変えることによって区切られた部屋の広さを変えることができる。
【００４７】
また、可動間仕切り壁パネルを部屋の床と天井との間に立設させて部屋を区切るので、特許文献１、特許文献２に記載さているように、床や天井等にレール等が必要でなくし、特許文献３に記載されているように、可動間仕切り壁を運ぶ台車等が必要でなく安価に可動間仕切り壁を設けることができる。
【００４８】
請求項３記載の発明は、請求項２に記載の発明に係り、前記配線用開口には、配線用開口キャップが着脱自在に取り付けられているから、可動間仕切り壁パネルを使用しないときには、配線用開口を配線用開口キャップで塞いでおくと、この配線用開口が見え難く、天井が美麗である。
そして、可動間仕切り壁パネルを立設するときには、この配線用開口キャップを外すことによって、天井裏に設けられている天井コネクタと可動間仕切り壁パネルの電源側コネクタとを簡単に接続することができ、便利である。
【００４９】
請求項４に記載の発明は、請求項２または請求項３に記載の発明に係り、前記可動間仕切り壁パネルには、上端部に上下方向に伸縮自在な固定部材と、可動間仕切り壁パネルと天井との間の隙間を塞ぐ着脱自在な化粧板または上下方向に移動可能な化粧板とが設けられているから、この可動間仕切り壁パネルを使用しないときには、固定部材を下方向に縮め、化粧板を外したり下方に移動させておくと、可動間仕切り壁パネルの高さが床と天井との間の距離より短くなるので、収納したり保管し易いし、可動間仕切り壁パネルを床と天井との間に立設したり、取り外すことが容易になる。
【００５０】
そして、可動間仕切り壁パネルを立設した後に、この固定部材を上方向に移動させて伸ばすと、可動間仕切り壁パネルが強固に固定できるし、化粧板を上方向に移動させたり、化粧板を取り付けたりすると、この可動間仕切り壁パネルと天井との間の隙間と、この隙間を通して見えていた配線用開口や、固定部材や、天井側コネクタと電源側コネクタとを接続した配線等がこの化粧板に遮られて見えなくなり、この立設した可動間仕切り壁が美麗になる。
【００５１】
請求項５に記載の発明は、請求項２ないし請求項２のいずれかに記載の発明に係り、前記可動間仕切り壁パネルの立設予定の複数の所定位置は、建物のモジュール寸法に基づいた距離を隔てて設けられた複数の位置であるから、可動間仕切り壁パネルを建物のモジュール寸法に基づいたいかなる位置に立設しても、この可動間仕切り壁パネルの立設する予定位置の配線用開口近傍の天井裏に設けられている天井側コネクタと可動間仕切り壁パネルに設けられている電源側コネクタとを接続することができる。
【発明を実施するための最良の形態】
【００５２】
以下、本発明を実施するための最良の形態を実施例で示す。
【実施例１】
【００５３】
図１〜図６は、本発明の一実施例を示すものであって、図１は建物の１階の間取りを示す平面図、図２は化粧板を取り付けている状態の主可動間仕切り壁パネルを示すもので、（ａ）は一部切欠斜視図、（ｂ）は（ａ）のＡ−Ａ線における断面図、図３は部屋を可動間仕切り壁で区切った状態を示す斜視図、図４は図３のＢ−Ｂ線における断面図、図５は配線用開口キャップを示す斜視図、図６（ａ）は可動間仕切り壁パネルの隣に可動間仕切り壁パネルを取り付けている状態の主要部を示す斜視図、（ｂ）は可動間仕切り壁パネルの隣に可動間仕切り壁パネルを取り付けたときの（ａ）のＣ−Ｃ線における断面図である。
【００５４】
図１〜図６において、１は、木造２階建ての建物であり、この建物１の１階の間取りは、玄関１１、廊下１２、便所１３、洗面所１３５、台所１４、浴室１５、居室１６、食堂１７、階段１８、収納室１９とからなる。
玄関１１は土間１１１、下駄箱１１２、玄関ホール１１３とからなる。
台所１４には勝手口１４１と厨房装置１４２が設けられている。
浴室１５には脱衣室１５１が設けられている。
【００５５】
居室１６には押入れ１６１が設けられている。
階段１８の下と背後には収納室１９となっている。
２は可動間仕切り壁であり、この可動間仕切り壁２は、図１の線Ｘで示す位置の床９と天井８との間に、４枚の可動間仕切り壁パネル３を並べた状態に立設されたものである。
【００５６】
なお、床９と天井８との間の距離は略２８００ｍｍであり、線Ｘの位置は予め可動間仕切り壁パネルを立設する予定の位置（複数の所定位置）の１箇所である。
そして、この可動間仕切り壁パネル３は、常時、収納室１９の中に収納されていて、部屋を区切るときに、取り出されて使用される。
【００５７】
可動間仕切り壁パネル３は、一番端に立設される１個の主可動間仕切り壁パネル３−１とその他の場所に立設される３個の副可動間仕切り壁パネル３−２の２種類あり、この可動間仕切り壁パネル３のいずれかの１個には、図示しない出入口が設けられている。
主可動間仕切り壁パネル３−１は、図２に示すように、枠３１と、壁面材３２と、表面フィルム３３と、固定部材４と、電源側コネクタ５と、接続端子６とからなり、高さが略２７００ｍｍ、幅が略９００ｍｍの矩形状をしている。
【００５８】
枠３１は木製の長尺体を、矩形状に組み立てた枠材３１１と、この内部に差し渡された桟材３１２とからなり、厚みが略４４ｍｍである。そして、この枠３１の下端面には発泡ポリスチレン樹脂シート製の弾性体３９が取り付けられている。
壁面材３２は厚みが略１２．５ｍｍの石膏ボード製の板体であり、この壁面材３２は枠３１の両側面に取り付けられているが、後述の化粧板７が取り付けられる位置には、この壁面材３２がなく、この部分にはマジックテープ３８が取り付けられている。
また、この壁面材３２にはコンセント３７が設けられている。
【００５９】
化粧フィルム３３は、塩化ビニル樹脂製の化粧フィルムであり、この化粧フィルム３３は壁面材３２の表面に貼り付けられている。
固定部材４は、ネジ棒４１と、ナット４２と、押圧板４３と、ゴム板４４と、回転部４５とからなる。
ネジ棒４１は、長さが略２００ｍｍであり、このネジ棒４１の上端には押圧板４３とゴム板４４からなる重合体が取り付けられている。
【００６０】
ナット４２はネジ棒４１が螺入可能な雌ネジを有するものであり、このナット４２は枠３１の上枠に設けられた通孔３１３の下側縁に取り付けられている。そして、このナット４２にはネジ棒４１が螺入されている。
回転部４５は、押圧板４３の下面近傍のネジ棒４１に設けられた六角形の塊であり、この回転部４５をスパナ等の回転具で回転させるとネジ棒４１が回転し、ネジ棒４１が上下方向に移動するようになっている。
【００６１】
電源側コネクタ５は、枠材３１１の上端面に設けられた雄形の端子である。
接続端子６は、可動間仕切り壁パネル３の横端面に設けられた端子であり、右側が雄形の端子であれば、左側が雌形の端子というように、両側の端子の形状が異なる。具体的に説明すると、図６（ｂ）に示すように、雌形の端子は上方に開口している受け口の両壁面に露出している導体であり、雄形の端子はこの受け口の中に挿入する舌状の導体であって、図６（ａ）に示すように、可動間仕切り壁パネル３の横端面と、既に取り付けられた可動間仕切り壁パネル３の横端面とを合わせながら、可動間仕切り壁パネル３を下方に移動させると、雌形の端子の中に雄形の端子が挿入され、雌形の導体と雄形の導体とが接触して接続するようになっいる。なお、雄形の端子は、感電しないように、枠材３１１の外側面より内側に設けられていて、引き出して使用し、雌形の端子は枠材３１１の外側面より内側に設けられている。
【００６２】
この電源側コネクタ５とコンセント３７と接続端子６とは、図４に示すように、可動間仕切り壁パネル３の内部に配線されている導線で接続されている。
天井８には、図１のＹで示す９０ｃｍの距離を隔てた３箇所（可動間仕切り壁パネルを立設する予定の所定位置である）に配線用開口８１が設けられている。そして、図４に示すように、この配線用開口８１近傍の天井裏には、コード８２２と、このコード８２２の先端に取り付けられた雌形の端子８２１とからなる電源側コネクタ８２が配置されていて、配線用開口８１から天井側コネクタ８２を引き出して、このコード８２２の先端の端子８２１を電源側コネクタ５に接続できるようになっている。
【００６３】
この配線用開口８１には、配線用開口キャップ８５が着脱自在に取り付けられている。
この配線用開口キャプ８５は、軟質塩化ビルニ樹脂製の円盤体であって、図５に示すように、中央部に導線を通過させる通孔８５１が設けられ、この通孔８５１か周縁までに幅の狭いスリット状の切欠部８５２が設けられていて、コード８２２をこの切欠部８５２に押し込むと、配線用開口キャップ８２を変形させながら、コード８２２が進んで、コード８２２を通孔８５２に挿入することができるようになっている。
【００６４】
そして、この配線用開口キャップ８５は、図３に示すように、常時、配線用開口８１に取り付けられていて、配線用開口８１から天井側コネクタ８２を取り出すとき外すことができるようになっている。即ち、この配線用開口キャップ８１は配線用開口８１に着脱自在に取り付けられている。
このように配線用開口８１に配線用開口キャップ８５が取り付けられていると、一寸見ただけでは、天井８に配線用開口８１が設けられていることに気付かず、天井が美麗である。
【００６５】
７は化粧板であり、この化粧板７は、図２に示すように、高さが略２００ｍｍ、幅が略９００ｍｍ、厚みが略１２ｍｍの合板製の板体７１と、この板体７１の表面に貼り付けられた塩化ビニル樹脂製の化粧フィルム７２とからなり、この化粧板７の裏面にはマジックテープ７８が取り付けられている。
【００６６】
そして、図２に示すように、この化粧板７を可動間仕切り壁パネル３に、可動間仕切り壁パネル３の上部に設けられているマジックテープ３８と化粧板７のマジックテープ７８とを合わせるように、押し付けると、化粧板７が可動間仕切りパネル３に取り付けられるし、強い力で剥がすと、取り外すことができるようになっている。
即ち、この化粧板７は可動間仕切りパネル３に着脱自在に設けられている。
なお、この化粧板７を着脱自在に取り付ける構造としては、その他の方法、例えば、化粧板７と可動間仕切りパネル３にそれぞれ嵌合する係止部を設けて、この係止部に嵌合させたり剥がしたりする着脱自在な構造にしてもよい。
【００６７】
化粧フィルム７２は、壁面材３２に貼り付けられた化粧フィルム３３と同じ模様を有する。
このように、壁面材３２の表面に貼り付けられた化粧フィルム３３と化粧板７の表面に貼り付けられた化粧フィルム７２が同じ模様になっているので、可動間仕切りパネル３に化粧板７を取り付けると、天井８と可動間仕切り壁パネル３との間の隙間が塞がれると同時に、可動間仕切り壁２の表面全体が連続した状態に見えて美麗である。
副可動間仕切り壁パネル３−２を主可動間仕切り壁パネル３−１と比較すると、電源側コネクタ５が存在しないことが異なるだけであるので、説明を省略する。
【００６８】
次に、この可動間仕切り壁２の取付方法と作用について説明する。
可動間仕切り壁パネルを使用しないときには、収納室１９の中に主可動間仕切り壁パネル３−１と副可動間仕切り壁パネル３−２とを、固定部材４のネジ棒４１を下方向に移動させて収納しておく。また、化粧板７も収納しておく。
このように、固定部材４のネジ棒４１を下方向に移動させていると、可動間仕切り壁パネル３の高さが天井８と床９との間の距離より短くなるので、収納し易いし、立設たり、取り外したりすることが容易になる。
【００６９】
来客等で、この居間１６を可動間仕切り壁２で区切って客室にしたいときには、この収納室１９から主可動間仕切り壁パネル３−１と副可動間仕切り壁パネル３−２と化粧板７とを取り出して、居室１６の可動間仕切り壁パネル３を取り付ける予定の所定位置の一番端に主可動間仕切り壁パネル３−１を立設した状態に配置する。
そして、この主可動間仕切り壁パネル３−１の前に台を置き、この台の上に立ち、回転部４５にスパナ等の回転具でネジ棒４１を回転させ、ネジ棒４１が上方向に移動させると、ネジ棒４１の先端に設けられている押圧板４３とゴム板４４の重合体が天井面を下方から押圧すると同時に、主可動間仕切り壁パネル３−１の下端に取り付けられている弾性体３９が床９を押圧し、主可動間仕切り壁パネル３−１が固定される。
【００７０】
このように可動間仕切り壁パネル３の下端面には弾性体３９が取り付けられているので、上記のようにして主可動間仕切り壁パネル３−１を立設しても、床９に傷が付かない。
次に、この主可動間仕切り壁パネル３−１の隣に副可動間仕切り壁パネル３−２を配置し、副可動間仕切り壁パネル３−２の横端面に設けられている雄形の接続端子６を引き出し、この副可動間仕切り壁パネル３−２の横端面を、既に、立設されている主可動間仕切り壁パネル３−１の横端面に沿って下方に移動させながら立設させる。
【００７１】
すると、副可動間仕切り壁パネル３−２が主可動間仕切り壁パネル３−１の隣に並んだ状態に立設されると共に、この副可動間仕切り壁パネル３−２の雄形の接続端子６と、主可動間仕切り壁パネル３−１の雌形の接続端子６とが接続する。
そして、この主可動間仕切り壁パネル３−１の前に台を置き、この台の上に立ち、回転部４５にスパナ等の回転具でネジ棒４１を回転させると、ネジ棒４１が上方向に移動し、ネジ棒４１の先端に設けられている押圧板４３とゴム板４４の重合体が天井面を下方から押圧すると同時に、副可動間仕切り壁パネル３−２の下端に取り付けられている弾性体３９が床面を押圧し、副可動間仕切り壁パネル３−２が固定される。
【００７２】
この既に立設された副可動間仕切り壁パネル３−２の横に次の副可動間仕切り壁パネル３−２を、同様にして立設すると、既に立設されている副可動間仕切り壁パネル３−２の隣に並んだ状態に新しい副可動間仕切り壁パネル３−２が立設されると共に、この副可動間仕切り壁パネル３−２の雄形の接続端子６と、副可動間仕切り壁パネル３−２の雌形の接続端子６とが接続する。
【００７３】
そして、この主可動間仕切り壁パネル３−１の前に台を置き、この台の上に立ち、回転部４５にスパナ等の回転具でネジ棒４１を回転させると、ネジ棒４１が上方向に移動し、ネジ棒４１の先端に設けられている押圧板４３とゴム板４４の重合体が天井８を下方から押圧すると同時に、副可動間仕切り壁パネル３−２の下端に取り付けられている弾性体３９が床９を押圧し、副可動間仕切り壁パネル３−２が固定される。
このようにして、可動仕切り壁パネル３を部屋の一端から他端まで略一直線状に取り付ける。
【００７４】
次に、天井８の配線用開口８１に取り付けられている配線用開口キャップ８５を配線用開口８１から外し、この配線用開口８１近傍に配置されている天井側配線コネクタ８２を取り出して、この天井側配線コネクタ８２の先端の端子８２１を電源側コネクタ５に接続する。
そして、配線用開口キャップ８５の切欠部８５２から通孔８５２まで天井側コネクタ８２のコード８２２を通し、この配線用開口キャップ８５を配線用開口８１に取り付ける。
【００７５】
最後に、全ての可動間仕切り壁パネル３に化粧板７を取り付けると可動間仕切り壁２が完成する。
このようにして完成した可動間仕切り壁２は、この化粧板７で可動間仕切り壁パネル３と天井８との間の隙間が覆われ、この隙間を通して見えていた配線用開口８１や天井側コネクタ８２や、固定部材４のネジ棒４１等が見えなくなり、美麗である。
このようにして、可動間仕切り壁パネル３を複数個並べて居間１６に取り付けた可動間仕切り壁２で部屋を区切ることができる。
【００７６】
このように、天井８に設けられている複数の所定位置の中の１箇所を選び、この選んだ所定位置の下方に立設するので、この選ぶ位置を変えることによって区切られる部屋の広さを変えることができる。
従って、来客が多いときには客室を広くし、来客が少ないときには客室を狭くすることができ、便利である。
しかも、このようにして複数の可動間仕切り壁パネル３を立設させると、この可動間仕切り壁パネル３の中の配線がすべて連結されるので、この可動間仕切り壁パネル３に設けられているすべてのコンセント３７を使用することができる。
【実施例２】
【００７７】
図７〜図１０は、本発明の他の実施例を示すものであって、図７は主可動間仕切り壁パネルを示すもので、（ａ）は斜視図、（ｂ）は（ａ）のＤ−Ｄ線における断面図、図８は主可動間仕切り壁パネルが床と天井との間に取り付けられた状態を示す断面図、図９は図８のＥ−Ｅ線における断面図、図１０は配線用開口キャップを示す斜視図である。
【００７８】
この図７〜図１０に示す実施例２の可動間仕切り壁２ａを図１〜図６に示す実施例１と比較すると、可動間仕切り壁パネル３ａ、化粧板７ａ、天井側コネクタ５ａ、電源側コネクタ８２ａ、配線用開口キャップ８５ａが異なるので、この異なる点を中心にして説明する。
可動間仕切り壁パネル３ａは、実施例１と略同じように、主可動間仕切り壁パネル３ａ−１と副可動間仕切り壁パネルの２種類あり、副可動間仕切り壁パネルは主可動間仕切り壁パネル３ａ−１の電源側コネクタ８２ａが設けられてないだけで、その他は略同じであるので、この主可動間仕切り壁パネル３ａ−１について説明する。
【００７９】
主可動間仕切り壁パネル３ａ−１は、図７に示すように、枠３１ａと、壁面材３２ａと、化粧フィルム３３ａと固定部材４ａと、電源側コネクタ５ａと、接続端子６ａとからなり、化粧板７ａはこの主可動間仕切り壁パネル３ａ−１に上下方向に移動可能に取り付けられている。
更に詳細に説明すると、枠３１ａは木製の長尺体を、矩形状に組み立てた枠材３１１ａと、この内部に差し渡された桟材３１２ａとからなり、厚みが略４４ｍｍである。そして、この枠３１ａの下端面には天然ゴム製の弾性体３９ａが取り付けられている。
【００８０】
そして、枠材３１１ａの側枠には、後述の化粧板４ａを取り付ける位置には、化粧板４ａがスライドして上下方向に移動できるように、図示しないレールが設けられている。
壁面材３２ａは厚みが略１２．５ｍｍの石膏ボード製の板体であり、この壁面材３２ａは枠３１ａの両側面に取り付けられているが、後述の化粧板７ａが取り付けられる位置には、化粧板７ａの厚みだけ後退した位置に設けられている。
また、この壁面材３２ａにはコンセント３７ａが設けられている。
化粧フィルム３３ａは、塩化ビニル樹脂製の化粧フィルムであり、この化粧フィルム３３は壁面材３２の表面に貼り付けられている。
【００８１】
固定部材４ａは、ネジ棒４１ａと、ナット４２ａと、押圧板４３ａと、ゴム板４４ａと、回転部４５ａとからなる。
ネジ棒４１ａの上端には押圧板４３ａとゴム板４４ａからなる重合体が取り付けられている。
ナット４２ａはネジ棒４１ａが螺入可能な雌ネジを有するものであり、このナット４２ａは枠３１ａの上枠に設けられた通孔３１３ａの下側縁に取り付けられている。そして、このナット４２ａにネジ棒４１ａを螺入されている。
【００８２】
回転部４５ａはネジ棒４１ａを回転させるものであって、押圧板４３ａの下方のネジ棒４１ａに設けられた六角形の塊であり、この回転部４５ａをスパナ等の回転具で回転させるとネジ棒４１ａが回転し、ネジ棒４１ａが上下方向に移動するようになっている。
電源側コネクタ５ａは、枠材３１１の上端面に設けられた図示しない通孔を通して可動間仕切り壁パネル３ａの中に設けられた配線を延長したコード５２ａと、このコード５２ａの先端に設けられた雄形の端子５１ａとからなる。
接続端子６ａは実施例１の接続端子と略同じであるので、説明を省略する。
【００８３】
７ａは化粧板であり、この化粧板７ａは、板体７１ａと、この板体７１ａの表面に貼り付けられた塩化ビニル樹脂製の化粧フィルム７２ａと、蝶ボルト７３ａとからなる。
そして、この化粧板７ａは、可動間仕切りパネル３ａの枠３１ａの側枠の上部に設けられたレールに上下方向にスライド可能に取り付けられている。
このように化粧板７ａは可動間仕切りパネル３ａに上下方向に移動可能に設けられている。
【００８４】
そして、この化粧板７ａを上方に移動させた後に、蝶ボルト７３ａを螺入すると、この蝶ボルト７３ａが可動間仕切り壁パネル３ａの壁面材３２ａを押し、この化粧板７ａが固定できるようになっている。
化粧フィルム７２ａは、壁面材３２ａに貼り付けられた化粧フィルム３３ａと同じ模様を有する。従って、この化粧板７ａを上方向に移動させると、天井８ａと可動間仕切り壁パネル３ａとの間の隙間を塞ぐと同時に、可動間仕切り壁３ａの全体が連続した模様に見えて美麗である。
【００８５】
天井８ａには、実施例１と同様に、９０ｃｍ距離を隔てて３箇所（可動間仕切り壁パネルを立設する予定の所定位置である）に配線用開口８１ａが設けられている。そして、この配線用開口８１ａ近傍の天井裏には、コンセントからなる雌形の端子の電源側コネクタ８２ａが配置され固定されている。
そして、電源側コネクタ５ａを配線用開口８１ａから入れて、コード５２ａの先端の端子５１ａを天井側コネクタ８２ａに差し込むことで、電源側コネクタ５ａと天井側コネクタ８２ａとが接続できるようになっている。
【００８６】
配線用開口キャップ８５ａは硬質塩化ビニル樹脂製の円盤体であって、この配線用開口キャップ８５ａは、常時、配線用開口８１ａに取り付けられていて、天井側コネクタ８２ａと電源側コネクタ５ａとを接続するときに外すのである。
このように配線用開口８１ａに配線用開口キャップ８５ａが取り付けられていると、一寸見ただけでは、天井８ａに配線用開口８１ａが設けられていることに気付かず、天井が美麗である。
【００８７】
次に、この可動間仕切り壁の取付方法と作用について説明する。
可動間仕切り壁パネル３ａを使用しないときには、収納室の中に主可動間仕切り壁３ａ−１と副可動間仕切り壁パネルを、固定部材４ａのネジ棒４１ａと化粧板７ａを下方向に移動させて収納している。
【００８８】
このように、固定部材４ａのネジ棒４１ａと化粧板を下方向に移動させていると、可動間仕切り壁パネル３ａの高さが天井８ａと床９ａとの間の距離より短くなるので、収納し易いし、立設たり、取り外したりすることが容易になる。
来客等で、この居間を可動間仕切り壁パネル３ａで区切って客室にしたいときには、この収納室から主可動間仕切り壁パネル３ａ−１と副可動間仕切り壁パネルを取り出して、居室の可動間仕切り壁パネル３ａを取り付ける予定の所定位置の１箇所に主可動間仕切り壁３−１を立設した状態に配置する。
【００８９】
そして、この主可動間仕切り壁パネル３ａ−１の前に台を置き、この台の上に立ち、回転部４５ａにスパナ等の回転具でネジ棒４１ａを回転させ、ネジ棒４１ａが上方向に移動させると、ネジ棒４１ａの先端に設けられている押圧板４３ａとゴム板４４ａの重合体が天井８ａを下方から押圧すると同時に、可動間仕切り壁パネル３ａの下端に取り付けられている弾性体３９ａが床９ａを押圧し、主可動間仕切り壁パネル３ａ−１が固定される。
【００９０】
この際、可動間仕切り壁パネル３１ａの下端面には弾性体３９ａが設けられているので、床９ａに傷が付かない。
次に、この主可動間仕切り壁パネル３ａ−１の隣に、実施例１と同様にして、次々と副可動間仕切り壁パネルを取り付ける。
この副可動間仕切り壁パネルの取付方法は実施例１と同様であるので説明を省略する。
【００９１】
次に、配線用開口キャップ８５ａを配線用開口８１ａから外し、主可動間仕切りパネル３ａ−１の電源側コネクタ５ａを配線用開口８１ａから入れて、先端の端子５２ａを天井８に取り付けられている天井側コネクタ８２ａに接続する。
この配線用開口キャップ８５ａは、後述の化粧板７ａを上方に移動させると、この化粧板７ａに邪魔されて見えなくなるので、この配線用開口キャップ８５ａを外したまにしておく。
【００９２】
そして、化粧板７ａを上方に移動させ、図９に示すように化粧板７ａを天井８に当接させ、蝶ボルト７３ａを螺入すると化粧板７ａが固定され、可動間仕切り壁が完成する。
このようにして完成した可動間仕切り壁は、この化粧板７ａで可動間仕切り壁パネル３ａと天井８ａとの間の隙間が覆われ、この隙間を通して見えていた配線用開口８１ａや、天井側コネクタ８２ａや、固定部材４ａのネジ棒４１ａ等が見えなくなり、美麗である。
【００９３】
このようにして、可動間仕切り壁パネル３ａを複数個並べて居間に取り付けると可動間仕切り壁で部屋を区切ることができる。
このように、天井８ａに設けられている複数の所定位置の中の１箇所を選び、この選んだ所定位置の下方に立設するので、この選ぶ位置を変えることによって区切られる部屋の広さを変えることができる。
従って、来客が多いときには客室を広くし、来客が少ないときには客室を狭くすることができ、便利である。
【００９４】
しかも、このようにして複数の可動間仕切り壁パネル３ａを立設させると、この可動間慈雨きり壁パネル３ａの中の配線がすべて連結されるので、この可動間仕切り壁パネル３ａに設けられているコンセント３７ａを使用することができる。
【産業上の利用可能性】
【００９５】
以上、この発明の実施例を詳細に述べたが、具体的な構成は、この実施例に限られるものでなく、この発明の要旨を逸脱しない範囲の設計の変更等があっても、この発明に含まれる。
例えば、上述の実施例では、建物の居室に可動間仕切り壁を取り付けているが、その他の部屋に取り付けてもよい。例えば、会議室や宴会室や子供部屋等に取り付けてもよい。
【００９６】
また、可動間仕切り壁パネルの上端部に取り付けた伸縮自在な固定部材として、ネジ棒とナットとからなり、このネジ棒を回転させて上下方向に伸縮させるが、その他の構造でもよい。例えば、パンタグラフのように伸縮するものでもよい。又、可動間仕切り壁パネルを固定できる装置が固定してもよい。例えば、可動間仕切り壁パネルと天井との間にスペーサー等を挿入するようにしてもよい。
【００９７】
また、可動間仕切り壁パネルの立設予定の複数の所定位置を建物のモジュール寸法に基づいた距離を隔てて設けられた複数の所定位置にしたが、その他の距離を隔てた複数の所定位置であってもよい。
また、可動間仕切り壁パネルのすべてにコンセントを設けているが、必要でない可動間仕切り壁パネペルにはコンセントを設けなくともよい。
【００９８】
また、可動間仕切り壁パネルを主可動間仕切り壁パネルと副可動間仕切り壁パネルの２種類あるが、すべての可動間仕切り壁パネルを主可動間仕切りパネルとし、この主可動間仕切り壁パネルの上方に配線用開口を設けてもよい。また、コンセントを必要とする可動壁パネルのみを主可動間仕切り壁パネルとし、主可動間仕切り壁パネルの上方向に配線用開口を設け、その他の可動間仕切り壁パネルを配線を設けてない従来の可動間仕切り壁パネルとしてもよい。
また、この主可動間仕切り壁パネルと副可動間仕切り壁パネルの組を２組以上設けて、部屋を３個以上に区切るようにしてもよい。
【図面の簡単な説明】
【００９９】
【図１】実施例１の建物の１階の間取りを示す平面図である。
【図２】実施例１の化粧板を取り付けている状態の主可動間仕切り壁パネルを示すもので、（ａ）は一部切欠斜視図、（ｂ）は（ａ）のＡ−Ａ線における断面図である。
【図３】実施例１の部屋を可動間仕切り壁で区切った状態を示す斜視図である。
【図４】図３のＢ−Ｂ線における断面図である。
【図５】実施例１の配線用開口キャップを示す斜視図である。
【０１００】
【図６】（ａ）は実施例１の可動間仕切り壁パネルの隣に可動間仕切り壁パネルを取り付けている状態の主要部を示す斜視図、（ｂ）は可動間仕切り壁パネルの隣に可動間仕切り壁パネルを取り付けたときの（ａ）のＣ−Ｃ線における断面図である。
【図７】実施例２の主可動間仕切り壁パネルを示すもので、（ａ）は斜視図、（ｂ）は（ａ）のＤ−Ｄ線における断面図である。
【図８】実施例２の主可動間仕切り壁パネルが床と天井との間に取り付けられた状態を示す断面図である。
【図９】図８のＥ−Ｅ線における断面図である。
【図１０】実施例２の配線用開口キャップを示す斜視図である。
【符号の説明】
【０１０１】
１                  建物
２                  可動間仕切り壁
３、３ａ            可動間仕切り壁パネル
３−１、３ａ−１    主可動間仕切り壁パネル
３−２、３ａ−２    副可動間仕切り壁パネル
４、４ａ            固定部材
５、５ａ            電源側コネクタ
６、６ａ            接続端子
７、７ａ            化粧板
８、８ａ            天井
８１、８１ａ        配線用開口
８２、８２ａ        天井側コネクタ
８５  ８５ａ        配線用開口キャップ
９、９ａ            床
【図１】
2006138102.tif 000003
【図２】
2006138102.tif 000004
【図３】
2006138102.tif 000005
【図４】
2006138102.tif 000006
【図５】
2006138102.tif 000007
【図６】
2006138102.tif 000008
【図７】
2006138102.tif 000009
【図８】
2006138102.tif 000010
【図９】
2006138102.tif 000011
【図１０】
2006138102.tif 000012